(57)【要約】【課題】電子機器を強固に保持できる取付金具を提供する。【解決手段】取付金具１は、中央に開口部２ｅを有する略矩形枠状の本体部２を有し、本体部２の枠内には上取付部３ａが上連結片４ａを介して上側位置に、下取付部３ｂが下連結片４ｂを介して下側位置にそれぞれ配置されている。本体部２の上枠部２ａには、左右方向両端側に係止部５がそれぞれ設けられ、下枠部２ｂの左右方向中央部には、係止部６が設けられている。また、上取付部３ａにはねじ挿通孔３ｃが設けられ、上連結片４ａがねじ挿通孔３ｃに対して係止片５と反対側に配置されている。さらに、下取付部３ｂには横長のねじ挿通孔３ｄが設けられ、下連結片４ａがねじ挿通孔３ｄに対して係止片６と反対側に配置されている。また、上連結片４ａ及び下連結片４ｂは、上取付部３ａ及び下取付部３ｂの上下方向における幅寸法よりも小さい幅寸法に形成されている。【選択図】図１
2008243960.tif 000002
【特許請求の範囲】
【請求項１】
電子機器を係止するための係止部を有し、造営材に設けた開口部の表面側の開口縁に配設される枠状の本体部と、当該本体部の枠内に配設され造営材に埋込配設されたスイッチボックスのねじ孔に対応する部位に固定ねじを挿通させるねじ挿通孔を有し、取付状態において少なくとも前記開口部の３辺の端縁と当接する取付部と、本体部と取付部とを連結する連結部とを備え、当該連結部を連結方向と交差する方向における前記取付部の幅寸法よりも小さい幅寸法に形成したことを特徴とする取付金具。
【請求項２】
前記連結部を前記ねじ挿通孔に対して前記係止部と反対側に設けたことを特徴とする請求項１記載の取付金具。
【発明の詳細な説明】
【技術分野】
【０００１】
本発明は、造営材に埋込配設されたスイッチボックスに取付けられ、電子機器を保持するために用いられる取付金具に関するものである。
【背景技術】
【０００２】
従来より、壁等に埋込配設されたスイッチボックスに取付けられ、電子機器を壁面に掛止するために用いられる取付金具があった（例えば特許文献１参照）。この取付金具は、中央位置に開口部が設けられた略矩形枠状に形成され、開口部の四隅には壁に埋込配設されたスイッチボックスに固定するためのねじを挿通させるねじ挿通孔がそれぞれ設けられている。また、各ねじ挿通孔の近傍にはスリットがそれぞれ設けられ、取付金具の幅方向両端側には、前方に突出し且つ先端側が上方に延出する略Ｌ字状の掛止部が長手方向に沿ってそれぞれ２個ずつ設けられている。ここで、取付金具をねじを用いてスイッチボックスに取付ける際に、スイッチボックスが壁面に対して深く埋め込まれていると、ねじを強く締め付けるようになるが、この取付金具では各ねじ挿通孔の近傍にスリットを設けており、スリット近傍が内側に変形することで取付面の変形を抑えている。
【特許文献１】実開平４−１０９５７５号公報（段落[０００８]−[００１０]、及び、第１図−第３図）
【発明の開示】
【発明が解決しようとする課題】
【０００３】
上述の特許文献１に示した取付金具では、スリットをねじ挿通孔の近傍に設けているので、ねじ挿通孔周辺の強度が弱くなり、取付金具に電子機器を掛止させた際に電子機器が壁面に対してがたつく虞があった。
【０００４】
本発明は上記問題点に鑑みて為されたものであり、その目的とするところは、電子機器を強固に保持できる取付金具を提供することにある。
【課題を解決するための手段】
【０００５】
請求項１の発明は、電子機器を係止するための係止部を有し、造営材に設けた開口部の表面側の開口縁に配設される枠状の本体部と、当該本体部の枠内に配設され造営材に埋込配設されたスイッチボックスのねじ孔に対応する部位に固定ねじを挿通させるねじ挿通孔を有し、取付状態において少なくとも開口部の３辺の端縁と当接する取付部と、本体部と取付部とを連結する連結部とを備え、当該連結部を連結方向と交差する方向における取付部の幅寸法よりも小さい幅寸法に形成したことを特徴とする。
【０００６】
請求項２の発明は、連結部をねじ挿通孔に対して係止部と反対側に設けたことを特徴とする。
【発明の効果】
【０００７】
請求項１の発明によれば、取付状態において取付部を開口部の３辺の端縁に当接させることによって、取付部をスイッチボックスに強固に固定できるので、取付金具を造営面に強固に取付けることができるという効果がある。また、連結部を連結方向と交差する方向における取付部の幅寸法よりも小さい幅寸法で形成することによって、連結部が変形し易くなり、取付部をスイッチボックスに螺着させる際に、連結部に加わる曲げモーメントを連結部を変形させることで吸収できるので、曲げモーメントが本体部に伝播するのを抑制でき、本体部の造営面からの浮き上がりを抑えることができるという効果がある。
【０００８】
請求項２の発明によれば、連結部をねじ挿通孔に対して係止部と反対側に設けることによって、取付状態において連結部に加わる曲げモーメントにより係止部を造営材に押付けることができ、係止部の造営面からの浮き上がりを抑えることができるという効果がある。したがって、係止部に取付けられる電子機器の取付状態ががたつくのを防止できるという効果がある。
【発明を実施するための最良の形態】
【０００９】
以下に本発明の実施形態を図１〜図６に基づいて説明する。本発明に係る取付金具１は、造営材（例えば、住居外の玄関等の壁１５）に埋込配設されたスイッチボックス１４に取付けられ、電子機器（例えば、ドアホン子器Ａ）を保持するために用いられる。尚、以下の説明では特に断りがない場合、図１（ａ）に示す向きにおいて上下左右の方向を規定する。従って、図６の上側が前面側となる。
【００１０】
本発明に係る取付金具１は、図１に示すように中央に開口部２ｅを有する略矩形枠状の本体部２と、本体部２の枠内に配設されスイッチボックス１４に取着される上取付部３ａ及び下取付部３ｂと、本体部２に上取付部３ａ及び下取付部３ｂを連結する上連結片４ａ及び下連結片４ｂとを備えている。
【００１１】
まず、本体部２について説明する。本体部２は、中央に開口部２ｅを有する略矩形枠状であって、互いに対向する一対の上枠部２ａ及び下枠部２ｂと、上枠部２ａ及び下枠部２ｂの同じ側の端部を連結する一対の右枠部２ｄ及び左枠部２ｃとで形成されている。上枠部２ａの左右方向両端側には、前面側に突出し且つ先端部が上方に延出する略Ｌ字状の係止片５がそれぞれ一体に設けられている。また、下枠部２ｂの左右方向中央部には、斜め上方に延出する係止片６が一体に設けられ、この係止片６には固定ねじ（図示せず）を螺合させるためのねじ孔６ａが設けられている。さらに、左枠部２ｃの左側端縁には、後述するドアホン子器Ａのカバー７に設けた３つの係止突片７ｆを配置するための切欠部２ｆが上下方向に沿って３箇所設けられている。
【００１２】
次に、上取付部３ａ及び下取付部３ｂについて説明する。まず、上取付部３ａは略矩形板状に形成され、上側の左右方向両端側に面取りが施されており、後述するスイッチボックス１４の上側のねじ孔１４ｃに対応する位置には固定ねじ１６を挿通させるためのねじ挿通孔３ｃが設けられている。一方、下取付部３ｂは略矩形板状に形成され、下側の左右方向両端側に面取りが施されており、スイッチボックス１４の下側のねじ孔１４ｃに対応する位置には固定ねじ１６を挿通させるための横長のねじ挿通孔３ｄが設けられている。上取付部３ａは、本体部２の枠内の上側位置に配置され、左右方向両端側で上連結片４ａ、４ａを介して本体部２の右枠部２ｄ及び左枠部２ｃに一体に連結されており、下取付部３ｂは、本体部２の枠内の下側位置に配置され、左右方向両端側で下連結片４ｂ、４ｂを介して本体部２の右枠部２ｄ及び左枠部２ｃに一体に連結されている。したがって、上取付部３ａ及び下取付部３ｂをスイッチボックス１４に螺着させる際に上取付部３ａ及び下取付部３ｂに加わる螺合方向の力は、上連結片４ａ及び下連結片４ｂを介して本体部２に伝達されるので、本体部２を壁１５に密着させることができる。
【００１３】
ここで、上連結片４ａ及び下連結片４ｂは、変形し易いように上取付部３ａ及び下取付部３ｂの上下方向における幅寸法よりも小さい幅寸法に形成され、また上連結片４ａはねじ挿通孔３ｃに対して係止片５と反対側（下側）に配置され、下連結片４ｂはねじ挿通孔３ｄに対して係止片６と反対側（上側）に配置されている。したがって、取付時において上取付部３ａ及び下取付部３ｂに加わる螺合方向の力により発生する曲げモーメントを上連結片４ａ及び下連結片４ｂを変形させて吸収できるので、曲げモーメントが本体部２に伝達するのを低減できる。また、上連結片４ａ及び下連結片４ｂで吸収されずに本体部２に伝達した曲げモーメントにより係止片５、６を壁１５に押付けるとともに本体部２における上下方向中央寄りの部位の浮き上がりを抑えることができる。
【００１４】
次に、壁１５には、図１及び図６に示すように縦長の略矩形状の開口部１５ａが設けられ、壁１５の裏面側にはスイッチボックス１４が開口部１５ａを臨んで埋込配設されている。このスイッチボックス１４は、前面側が開口する縦長の略箱状の本体部１４ａを有し、本体部１４ａの上下方向両端側において左右方向中央部には、内側に向かって延出する取付片１４ｂ、１４ｂがそれぞれ一体に設けられており、各取付片１４ｂには固定ねじ１６が螺合するねじ孔１４ｃがそれぞれ設けられている。
【００１５】
ここで、取付金具１に取付けられるドアホン子器Ａについて図４〜図６に基づいて説明する。ドアホン子器Ａは、略矩形板状に形成され取付金具１に取付けられるボディ８と、後面が開口する略矩形箱状に形成され前面側を覆うようにボディ８に取着されるカバー７と、後述する撮像素子１３等が実装されボディ８内に収納される基板９とを備えている。
【００１６】
ボディ８の左右方向右側には、壁１５の裏面側に予め配線された電線（図示せず）が接続される複数の接続端子（図６では４個）からなる接続部８ａが設けられている。また、図５に示すようにボディ８の裏面側において上端近傍の左右方向両側には、取付金具１の係止片５が係止する係止部８ｂがそれぞれ設けられ、下端近傍の左右方向中央部には、取付金具１の係止片６が係止する係止部８ｃが設けられている。さらに、ボディ８の裏面側において左右方向右側には、カバー７に設けた各係止突片７ｆが係止する係止凹部８ｄが上下方向に沿って３箇所設けられている。また、ボディ８の右側において上下方向両端側には、固定ねじ（図示せず）を挿通させるためのねじ挿通孔８ｅがそれぞれ設けられている。
【００１７】
次に、カバー７について説明する。カバー７の前面において上側位置には、図４に示すように横長の略矩形状の開口部７ａが設けられ、左右方向右側の下側位置には略矩形状の開口部７ｂが設けられており、上下方向において開口部７ａと開口部７ｂの間には、上下方向に細長く形成されたスリット７ｃが横並びに複数設けられている。また、カバー７の前面においてスリット７ｃの下側位置には、縦長の略楕円形状のスリット７ｇが設けられている。開口部７ａには、前面側が曲面に形成された略矩形状の透光性のカバー１０が取付けられ、開口部７ｂには、住居人を呼び出すための呼出釦１１が取付けられている。また、カバー７において左側（図５（ａ）の右側）の側面の端縁には、ボディ８の係止凹部８ｄと対応する位置に係止突片７ｆが上下方向に沿って３箇所設けられている。さらに、カバー７の下面において左右方向中央部には、取付金具１の係止片６のねじ孔６ａに螺合する固定ねじ（図示せず）を挿通させるためのねじ挿通孔７ｅを有する固定部７ｄが設けられている。
【００１８】
さらに、基板９について説明する。基板９は略矩形板状に形成され、左右方向右側には、ボディ８の接続部８ａを配置するための切欠部９ａが設けられている。この基板９の前面側においてカバー７の開口部７ａに対応する位置には、来訪者を撮像するための撮像素子（例えば、ＣＣＤ等）１３と、周りが暗い状況（例えば夜間等）で来訪者を撮像できるように光を照射する複数（図６では４個）のＬＥＤ素子１２が実装されている。また、呼出釦１１に対応する位置には、呼出釦１１によって押操作されるスイッチ（図示せず）や音声通話のための回路が形成されている。
【００１９】
次に、ドアホン子器Ａを組み立てる手順について図６に基づいて説明する。まず、基板９の切欠部９ａの位置をボディ８の接続部８ａに合わせた状態で、基板９をボディ８内に収納する。その後、カバー７の各係止突片７ｆを対応するボディ８の係止凹部８ｄに係止させた状態でカバー７をボディ８に取着し、裏面側から固定ねじをねじ挿通孔８ｅに挿通してカバー７のねじ孔（図示せず）に螺合させると、ドアホン子器Ａの組み立てが完了する。尚、組み立てた状態においてスリット７ｃに対応する位置には、音声会話のためのスピーカー（図示せず）が収納され、スリット７ｇに対応する位置にはマイクロホン（図示せず）が収納されている。
【００２０】
さらに、取付金具１を壁１５に取付ける手順について図１〜図３に基づいて説明する。まず、係止片５が上側、係止片６が下側となるように取付金具１の向きを調整して壁１５の表面側に配置し、上取付部３ａのねじ挿通孔３ｃ及び下取付部３ｂのねじ挿通孔３ｄの位置をそれぞれ対応するねじ孔１４ｃに合わせる。その後、固定ねじ１６、１６をねじ挿通孔３ｃ、３ｄにそれぞれ挿通してねじ孔１４ｃ、１４ｃに螺合させると、取付金具１の取付けが完了する。この状態において上取付部３ａは、開口部１５ａの上側及び左右両側の端縁に当接し、下取付部３ｂは、開口部１５ａの下側及び左右両側の端縁に当接しており、上取付部３ａ及び下取付部３ｂをスイッチボックス１４に強固に固定できるので、取付金具１を壁１５の表面に強固に取付けることができる。
【００２１】
次に、壁１５に取付けられた取付金具１にドアホン子器Ａを取付ける手順について説明する。まず、取付金具１に沿ってドアホン子器Ａを上から下にスライドさせて、ボディ８の係止部８ｂ、８ｂに取付金具１の各係止片５を係止させるとともに係止部８ｃに係止片６を係止させる。その後、固定ねじ（図示せず）をカバー７に設けた固定部７ｄのねじ挿通孔７ｅに挿通して係止片６のねじ孔６ａに螺合させると、ドアホン子器Ａが取付金具１に強固に固定される。したがって、ドアホン子器Ａを取付金具１にがたつきなく取付けることができる。
【００２２】
逆に、ドアホン子器Ａを取付金具１から取り外す場合は、固定ねじを取り外し、ドアホン子器Ａを下から上にスライドさせて係止片５と係止部８ｂとの係止及び係止片６と係止部８ｃとの係止を解除すると、ドアホン子器Ａが取付金具１から取り外される。
【００２３】
尚、本実施形態では、ねじ挿通孔３ｃ、３ｄに対して係止片５、６が外側に設けられているので、上連結片４ａ及び下連結片４ｂをねじ挿通孔３ｃ、３ｄに対して内側寄りに設けているが、係止部と連結部の位置関係は本実施形態に限定されるものではなく、連結部がねじ挿通孔に対して係止部と反対側に設けられていればよい。したがって、ねじ挿通孔３ｃ、３ｄに対して係止片５、６が内側に設けられている場合は、上連結片４ａ及び下連結片４ｂをねじ挿通孔３ｃ、３ｄに対して外側寄りに設ければよい。
【００２４】
また、本実施形態では、電子機器としてドアホン子器Ａを例に説明したが、造営材に取り付けられて用いられるものであればよく、同様に電子機器を取付金具にがたつきなく取付けることができる。
【図面の簡単な説明】
【００２５】
【図１】本実施形態の取付金具を造営材に取付けた状態を示し、（ａ）は正面図、（ｂ）はＹ−Ｙ断面図である。
【図２】同上を造営材に取付けた状態のＸ−Ｘ断面である。
【図３】同上を造営材に取付けた状態を示す斜視図である。
【図４】同上に取付けられるドアホン子器を示し、（ａ）は正面図、（ｂ）は側面図、（ｃ）は下面図である。
【図５】同上に取付けられるドアホン子器を示し、（ａ）は背面図、（ｂ）は取付金具に取付けられた状態の背面図である。
【図６】同上にドアホン子器を取付ける状態を示す分解斜視図である。
【符号の説明】
【００２６】
１      取付金具
２      本体部
３ａ    上取付部
３ｂ    下取付部
３ｃ    ねじ挿通孔
３ｄ    ねじ挿通孔
４ａ    上連結片
４ｂ    下連結片
５      係止片
６      係止片
１４    スイッチボックス
１４ｃ  ねじ孔
１５    壁（造営材）
１５ａ  開口部
Ａ      ドアホン子器（電子機器）
【図１】
2008243960.tif 000003
【図２】
2008243960.tif 000004
【図３】
2008243960.tif 000005
【図４】
2008243960.tif 000006
【図５】
2008243960.tif 000007
【図６】
2008243960.tif 000008